(57)【要約】【課題】部品点数を増加させることなく、コネクタ部がフレキシブルプリント配線板から剥がれるのを抑制し、かつ、省スペース化により小型化を図ることが可能なフレキシブルプリント配線板を提供する。【解決手段】この液晶表示パネル１０のパネル用ＦＰＣ２は、表面側にコネクタ部３が取り付けられるコネクタ取付部２ａと、コネクタ取付部２ａと一体的に形成されるとともに、コネクタ取付部２ａの裏面側に折り曲げられることにより、コネクタ取付部２ａを補強する補強部２ｂとを備える。【選択図】図５
2006156570.tif 000002
【特許請求の範囲】
【請求項１】
表面側に第１コネクタ部が取り付けられるコネクタ取付部と、
前記コネクタ取付部と一体的に形成されるとともに、前記コネクタ取付部の裏面側に折り曲げられることにより、前記コネクタ取付部を補強する補強部とを備えたことを特徴とする、フレキシブルプリント配線板。
【請求項２】
前記コネクタ取付部の裏面と前記補強部の裏面とは、接着層を介して接着されていることを特徴とする、請求項１に記載のフレキシブルプリント配線板。
【請求項３】
前記接着層は、両面テープを含むことを特徴とする、請求項２に記載のフレキシブルプリント配線板。
【請求項４】
前記補強部の表面側には、電子部品が取り付けられていることを特徴とする、請求項１〜３のいずれか１項に記載のフレキシブルプリント配線板。
【請求項５】
前記電子部品は、前記補強部が前記コネクタ取付部の裏面側に折り曲げられる前に、前記補強部の表面側に取り付けられることを特徴とする、請求項４に記載のフレキシブルプリント配線板。
【請求項６】
前記コネクタ取付部には、前記第１コネクタ部に電気的に接続される配線パターンが設けられていることを特徴とする、請求項１〜５のいずれか１項に記載のフレキシブルプリント配線板。
【請求項７】
前記コネクタ取付部と前記補強部との間に設けられ、前記補強部を折り曲げるための折り曲げ部をさらに備え、
前記折り曲げ部は、前記コネクタ取付部の厚みおよび前記補強部の厚みよりも小さい厚みを有することを特徴とする、請求項１〜６のいずれか１項に記載のフレキシブルプリント配線板。
【請求項８】
前記折り曲げ部には、前記折り曲げ部の厚みを小さくするための溝が形成されていることを特徴とする、請求項７に記載のフレキシブルプリント配線板。
【請求項９】
前記折り曲げ部には、前記補強部を折り曲げやすくするための複数の孔が設けられていることを特徴とする、請求項７または８に記載のフレキシブルプリント配線板。
【請求項１０】
前記フレキシブルプリント配線板は、表示パネル用フレキシブルプリント配線板を含み、
前記表示パネル用フレキシブルプリント配線板の前記第１コネクタ部には、表示パネルのバックライト光源に電気的に接続されるバックライト用フレキシブルプリント配線板の第１コネクタ差込部が差し込まれることを特徴とする、請求項１〜９のいずれか１項に記載のフレキシブルプリント配線板。
【請求項１１】
電子機器の配線基板の第２コネクタ部に差し込まれ、前記第１コネクタ部および前記補強部と一体的に形成された第２コネクタ差込部をさらに備えることを特徴とする、請求項１〜１０のいずれか１項に記載のフレキシブルプリント配線板。
【発明の詳細な説明】
【技術分野】
【０００１】
本発明は、フレキシブルプリント配線板（ＦＰＣ）に関し、特に、コネクタ部を含むフレキシブルプリント配線板に関する。
【背景技術】
【０００２】
従来、携帯電話などの液晶表示パネルに取り付けられ、屈曲性を有するパネル用フレキシブルプリント配線板が知られている（たとえば、特許文献１参照）。上記特許文献１に開示されたようなパネル用フレキシブルプリント配線板には、通常コネクタ部が設けられている。この場合、パネル用フレキシブルプリント配線板のコネクタ部に他のフレキシブルプリント配線板などのコネクタ差込部を装着する際に、フレキシブルプリント配線板が湾曲するため、コネクタ部がパネル用フレキシブルプリント配線板から剥がれやすいという不都合がある。
【０００３】
そこで、従来、パネル用フレキシブルプリント配線板のコネクタ部が取り付けられる部分が湾曲するのを抑制するために、パネル用フレキシブルプリント配線板のコネクタ部が取り付けられる部分の裏面に補強板が貼り付けられた構造が提案されている。図１２は、このような従来の提案された構造を有するパネル用フレキシブルプリント配線板を含む液晶表示ユニット（液晶表示装置）を示した斜視図であり、図１３は、図１２に示した従来の液晶表示ユニットの液晶表示パネルを示した平面図である。また、図１４は、図１３の４００−４００線に沿った断面図であり、図１５は、図１３の５００−５００線に沿った断面図である。また、図１６は、図１３に示した従来の液晶表示ユニットのパネル用フレキシブルプリント配線板のコネクタ部の部分拡大図である。図１２〜図１６を参照して、従来の液晶表示ユニット１３０について説明する。
【０００４】
従来の液晶表示ユニット１３０は、図１２に示すように、液晶表示パネル１１０と、液晶表示パネル１１０が収納される金属製のフレーム１３１と、液晶表示パネル１１０に取り付けられるパネル用フレキシブルプリント配線板（パネル用ＦＰＣ）１０２と、バックライト（図示せず）に接続されるとともに、パネル用ＦＰＣ１０２のコネクタ部１０３に接続されるバックライト用フレキシブルプリント配線板（バックライト用ＦＰＣ）１３２とを備えている。また、従来の液晶表示パネル１１０の表面には、図１３に示すように、駆動ＩＣ１０１と、パネル用ＦＰＣ１０２とが取り付けられている。また、パネル用ＦＰＣ１０２には、コネクタ部１０３が取り付けられるコネクタ取付部１０２ａと、電子部品１０４が取り付けられる電子部品取付部１０２ｂおよび１０２ｃと、コネクタ差込部１０２ｄとが設けられている。また、パネル用ＦＰＣ１０２のコネクタ取付部１０２ａの裏面には、熱硬化性接着材（図示せず）によって、１５０μｍ程度の厚みを有するポリイミド樹脂からなる補強板１０５（図１４および図１５参照）が貼り付けられている。この補強板１０５は、コネクタ取付部１０２ａに貼り付けられてコネクタ取付部１０２ａを補強することにより、コネクタ部１０３にバックライト用ＦＰＣ１３２（図１１参照）のコネクタ差込部１３２ａを装着する際に、パネル用ＦＰＣ１０２のコネクタ取付部１０２ａが湾曲するのを抑制する機能を有する。これにより、コネクタ部１０３がパネル用ＦＰＣ１０２のコネクタ取付部１０２ａから剥がれるのを抑制することが可能になる。また、パネル用ＦＰＣ１０２のコネクタ取付部１０２ａと電子部品取付部１０２ｂとの間には、図１４および図１５に示すように、補強板１０５がコネクタ取付部１０２ａの裏面に貼り付けられることに起因して、１．５ｍｍ以上の長さｄを有する湾曲した湾曲部１０２ｅが生じる。
【０００５】
また、パネル用ＦＰＣ１０２は、図１４および図１５に示すように、絶縁材料からなるベースフィルム層１２１と、ベースフィルム層１２１の表面側に配置され、銅からなる表面側配線層１２２と、表面側配線層１２２の表面側に配置された絶縁材料からなる表面側カバーフィルム層１２３と、ベースフィルム層１２１の裏面側に配置され、銅からなる裏面側配線層１２４と、裏面側配線層１２４の裏面側に配置された絶縁材料からなる裏面側カバーフィルム層１２５とにより構成されている。また、コネクタ部１０３および電子部品１０４は、半田１０６により表面側配線層１２２に取り付けられている。
【０００６】
また、パネル用ＦＰＣ１０２には、図１６に示すように、コネクタ部１０３に電気的に接続され、コネクタ差込部１０２ｄ側に延びるように配置された表面側配線層１２２からなる配線パターン１２２ａが設けられている。この配線パターン１２２ａは、補強板１０５の外形線に対して直交するように配置されている。
【０００７】
【特許文献１】特許第３３２２６２９号公報
【発明の開示】
【発明が解決しようとする課題】
【０００８】
図１２〜図１６に示した従来の液晶表示パネル１１０では、補強板１０５によりコネクタ部１０２ａがパネル用ＦＰＣ１０２から剥がれるのを抑制することが可能である一方、パネル用ＦＰＣ１０２とは別に、補強板１０５を設ける必要があるので、その分、部品点数が増加するという問題点があった。また、コネクタ取付部１０２ａと電子部品取付部１０２ｂとの間には、補強板１０５がコネクタ取付部１０２ａの裏面に貼り付けられることに起因して湾曲部１０２ｅが生じるという不都合があった。この湾曲部１０２ｅは湾曲しているため、電子部品１０４を実装機などにより実装する際に、この湾曲部１０２ｅに電子部品１０４を実装するのが困難であるという不都合があった。このため、湾曲部１０２ｅ以外の部分に電子部品１０４を実装する必要があるので、その分、パネル用ＦＰＣ１０２の面積が大きくなるという不都合があった。その結果、パネル用ＦＰＣ１０２の省スペース化を図ることが困難であった。また、補強板１０５の外形線に沿ったパネル用ＦＰＣ１０２の領域は、電子部品１０４の実装時に応力が加わりやすいため、この補強板１０５の外形線の近傍に、その外形線に平行に配線パターン１２２ａを配置すると、配線パターン１２２ａに大きな応力が加わり、断線などが発生することが考えられる。このため、従来では、配線パターン１２２ａに加わる応力を最小限にするために、図１６に示したように、配線パターン１２２ａを補強板１０５の外形線に対して直交するように配置する必要がある。このため、従来では、配線パターン１２２ａの設計の制約が多くなるので、パネル用ＦＰＣ１０２を最小のスペースにするような設計を行うことが困難になり、その結果、パネル用ＦＰＣ１０２の省スペース化を図ることが困難になるという問題点があった。
【０００９】
この発明は、上記のような課題を解決するためになされたものであり、この発明の１つの目的は、部品点数を増加させることなく、コネクタ部がフレキシブルプリント配線板から剥がれるのを抑制し、かつ、省スペース化により小型化を図ることが可能なフレキシブルプリント配線板を提供することである。
【課題を解決するための手段および発明の効果】
【００１０】
上記目的を達成するために、この発明の一の局面によるフレキシブルプリント配線板は、表面側に第１コネクタ部が取り付けられるコネクタ取付部と、コネクタ取付部と一体的に形成されるとともに、コネクタ取付部の裏面側に折り曲げられることにより、コネクタ取付部を補強する補強部とを備える。
【００１１】
この一の局面によるフレキシブルプリント配線板では、上記のように、コネクタ取付部と一体的に形成されるとともにコネクタ取付部の裏面側に折り曲げられることにより、コネクタ取付部を補強する補強部を設けることによって、フレキシブルプリント配線板とは別に補強板を設けることなく、第１コネクタ部にコネクタ差込部を装着する際に、フレキシブルプリント配線板のコネクタ取付部が湾曲するのを抑制することができる。これにより、部品点数を増加させることなく、コネクタ取付部が湾曲することに起因する第１コネクタ部のフレキシブルプリント配線板からの剥がれを抑制することができる。また、補強部をコネクタ取付部の裏面側に折り曲げることにより、コネクタ取付部を補強するように構成することによって、補強部の折り曲げ前に電子部品を実装するようにすれば、電子部品の実装時に補強部に起因する段差部および湾曲部が生じないので、電子部品をコネクタ部により近い位置に実装することができるとともに、実装時にコネクタ部に接続される配線パターンに応力が加わるのを抑制することができる。これにより、電子部品の配置の自由度および配線パターンの配置の自由度を向上させることができるので、最小のスペースになるように電子部品の配置および配線パターンの配置を行うことができる。その結果、省スペース化を図ることができるので、フレキシブルプリント配線板の小型化を図ることができる。
【００１２】
上記一の局面によるフレキシブルプリント配線板において、好ましくは、コネクタ取付部の裏面と補強部の裏面とは、接着層を介して接着されている。このように構成すれば、コネクタ取付部の裏面側に折り曲げられた補強部をコネクタ取付部の裏面側に密着させることができるので、コネクタ取付部を有効に補強することができる。
【００１３】
上記コネクタ取付部の裏面と補強部の裏面とが接着層を介して接着されるフレキシブルプリント配線板において、好ましくは、接着層は両面テープを含む。このように構成すれば、容易に、コネクタ取付部と補強部とを接着することができる。
【００１４】
上記一の局面によるフレキシブルプリント配線板において、好ましくは、補強部の表面側には、電子部品が取り付けられている。このように構成すれば、補強部の表面側に取り付けられた電子部品により、補強部の機械的強度を向上させることができるので、補強部の厚みが小さい場合にも、補強部を湾曲しにくくすることができる。これにより、補強部の厚みが小さい場合にも、コネクタ取付部を有効に補強することができる。
【００１５】
上記補強部の表面側に電子部品が取り付けられたフレキシブルプリント配線板において、好ましくは、電子部品は、補強部がコネクタ取付部の裏面側に折り曲げられる前に、補強部の表面側に取り付けられている。このように構成すれば、電子部品の実装時に、補強部をコネクタ取付部側に折り曲げることに起因する段差部が生じないので、容易に、電子部品をコネクタ部により近い位置に実装することができる。
【００１６】
上記一の局面によるフレキシブルプリント配線板において、好ましくは、コネクタ取付部には、第１コネクタ部に電気的に接続される配線パターンが設けられている。このように第１コネクタ部に電気的に接続される配線パターンが設けられる場合にも、補強部の折り曲げ前に電子部品を実装するようにすれば、電子部品の実装時に補強部に起因する段差部が生じないので、実装時に配線パターンに応力が加わるのを抑制することができる。これにより、配線パターンの設計の自由度を容易に向上させることができる。
【００１７】
上記一の局面によるフレキシブルプリント配線板において、好ましくは、コネクタ取付部と補強部との間に設けられ、補強部を折り曲げるための折り曲げ部をさらに備え、折り曲げ部は、コネクタ取付部の厚みおよび補強部の厚みよりも小さい厚みを有する。このように構成すれば、補強部をコネクタ取付部の裏面側に、容易に折り曲げることができる。
【００１８】
上記折り曲げ部を備えたフレキシブルプリント配線板において、好ましくは、折り曲げ部には、折り曲げ部の厚みを小さくするための溝が形成されている。このように構成すれば、補強部の溝により、容易に、補強部をコネクタ取付部の裏面側に折り曲げることができる。
【００１９】
上記折り曲げ部を備えたフレキシブルプリント配線板において、好ましくは、折り曲げ部には、補強部を折り曲げやすくするための複数の孔が設けられている。このように構成すれば、より容易に、補強部の裏面をコネクタ取付部の裏面側に折り曲げることができる。
【００２０】
上記一の局面によるフレキシブルプリント配線板において、好ましくは、フレキシブルプリント配線板は、表示パネル用フレキシブルプリント配線板を含み、表示パネル用フレキシブルプリント配線板の第１コネクタ部には、表示パネルのバックライト光源に電気的に接続されるバックライト用フレキシブルプリント配線板の第１コネクタ差込部が差し込まれる。このように構成すれば、表示パネル用フレキシブルプリント配線板において、部品点数を増加させることなく、バックライト用フレキシブルプリント配線板の第１コネクタ差込部が差し込まれるコネクタ部が剥がれるのを抑制することができるとともに、省スペース化により小型化を図ることができる。
【００２１】
上記一の局面によるフレキシブルプリント配線板において、好ましくは、電子機器の配線基板の第２コネクタ部に差し込まれ、第１コネクタ部および補強部と一体的に形成された第２コネクタ差込部をさらに備える。このように構成すれば、補強部がコネクタ取付部の下方に配置されるので、フレキシブルプリント配線板の第２コネクタ差込部を電子機器の配線基板の第２コネクタ部に差し込んだ状態で、補強部が電子機器の配線基板の上方にオーバーラップすることがない。これにより、電子機器の配線基板の使用可能な面積を増加させることができる。
【発明を実施するための最良の形態】
【００２２】
以下、本発明の実施形態を図面に基づいて説明する。
【００２３】
図１は、本発明の一実施形態によるパネル用フレキシブルプリント配線板を備えた液晶表示ユニット（液晶表示装置）を示した斜視図であり、図２は、図１に示した一実施形態による液晶表示ユニットの液晶表示パネルを示した平面図である。また、図３は、図２に示した一実施形態による液晶表示パネルの側面図である。図４〜図１１は、図１に示した一実施形態による液晶表示パネルの構造の詳細を示した図である。図１〜図１１を参照して、本発明の一実施形態による液晶表示ユニット３０について説明する。
【００２４】
本発明の一実施形態による液晶表示ユニット３０は、図１に示すように、液晶表示パネル１０と、液晶表示パネル１０が収納される金属製のフレーム３６と、液晶表示パネル１０に取り付けられるパネル用フレキシブルプリント配線板（パネル用ＦＰＣ）２と、バックライト用光源としての発光ダイオード３２（図１０参照）に接続されるとともに、パネル用ＦＰＣ２のコネクタ部３に接続されるバックライト用フレキシブルプリント配線板（バックライト用ＦＰＣ）３３とを備えている。また、本実施形態による液晶表示パネル１０の表面には、図２に示すように、駆動ＩＣ１と、パネル用ＦＰＣ２とが取り付けられている。なお、パネル用ＦＰＣ２は、本発明の「フレキシブルプリント配線板」および「表示パネル用フレキシブルプリント配線板」の一例である。
【００２５】
ここで、本実施形態では、パネル用ＦＰＣ２には、図２に示すように、表面にコネクタ部３が取り付けられるコネクタ取付部２ａと、コネクタ取付部２ａを補強する補強部２ｂと、補強部２ｂを折り曲げるための折り曲げ部２ｃと、電子部品４が取り付けられる電子部品取付部２ｄと、コネクタ差込部２ｅとが設けられている。なお、コネクタ部３は、本発明の「第１コネクタ部」の一例である。また、補強部２ｂは、図７に示すように、コネクタ取付部２ａと一体的に設けられている。また、折り曲げ部２ｃは、コネクタ取付部２ａと、補強部２ｂとの間に設けられている。また、コネクタ差込部２ｅは、コネクタ取付部２ａおよび補強部２ｂと一体的に設けられている。
【００２６】
また、パネル用ＦＰＣ２の補強部２ｂの表面には、図３および図４に示すように、複数の電子部品４が取り付けられている。また、補強部２ｂの裏面は、図３に示すように、コネクタ取付部２ａの裏面側に折り曲げられることにより、コネクタ取付部２ａを補強している。
【００２７】
また、コネクタ取付部２ａの裏面および補強部２ｂの裏面とは、図５および図６に示すように、接着層５を介して接着されている。この接着層５は、たとえば、両面テープからなる。なお、電子部品４は、補強部２ｂがコネクタ取付部２ａの裏面側に折り曲げられる前の図８に示す状態で、パネル用ＦＰＣ２に実装される。
【００２８】
また、パネル用ＦＰＣ２は、図６に示すように、絶縁材料からなるベースフィルム層２１と、ベースフィルム層２１の表面側に配置され、銅からなる表面側配線層２２と、表面側配線層２２の表面側に配置された絶縁材料からなる表面側カバーフィルム層２３と、ベースフィルム２１の裏面側に配置され、銅からなる裏面側配線層２４と、裏面側配線層２４の裏面側に配置された絶縁材料からなる裏面側カバーフィルム２５とにより構成されている。また、ベースフィルム層２１は、約２５μｍの厚みｔ１を有する。また、表面側配線層２２および裏面側配線層２４は、約１２μｍの厚みｔ２を有する。また、表面側カバーフィルム層２３および裏面側カバーフィルム層２５は、約１２．５μｍ〜約２５μｍの厚みｔ３を有する。
【００２９】
また、本実施形態では、図７に示すように、折り曲げ部２ｃには、約０．５ｍｍ〜約０．７ｍｍの直径を有する孔２ｆが、所定の間隔を隔てて３つ設けられている。また、折り曲げ部２ｃの両端には、円弧状の切欠部２ｇが設けられている。また、折り曲げ部２ｃには、図８に示すように、表面側カバーフィルム２３および表面側配線層２２が削除されることにより形成された、約１．６ｍｍの幅を有する溝２ｈが設けられている。これにより、折り曲げ部２ｃは、コネクタ取付部２ａおよび補強部２ｂよりも表面側配線層２２および表面側カバーフィルム２３の厚み分だけ小さい厚みを有する。
【００３０】
また、コネクタ部３は、図５に示すように、半田６により表面側配線層２２に取り付けられている。また、パネル用ＦＰＣ２には、図９に示すように、コネクタ部３に電気的に接続され、コネクタ差込部２ｅ側に延びるように配置された表面側配線層２２からなる配線パターン２２ａが設けられている。この配線パターン２２ａは、図１６に示した従来の配線パターン１２２ａと異なり、コネクタ差込部２ｅ側に最短距離で進むように配置されている。
【００３１】
また、図１０に示すように、液晶表示ユニット３０の金属製の下側フレーム３１内には、樹脂フレーム２５が収納されている。また、樹脂フレーム２５内には、バックライト用光源としての発光ダイオード（ＬＥＤ）３２に電気的に接続されるバックライト用フレキシブルプリント配線板（バックライト用ＦＰＣ）３３と、ＬＥＤ３２からの光を上方に導くための導光板やレンズシートなどを含む導光部材３４とが収納されている。また、液晶表示ユニット３０には、金属製の上側フレーム３６の下方に、液晶表示パネル１０が収納されている。また、バックライト用ＦＰＣ３３のコネクタ差込部３３ａは、樹脂フレーム２５から外部に延びるように配置されている。また、図１１に示すように、バックライト用ＦＰＣ３３のコネクタ差込部３３ａがパネル用ＦＰＣ２のコネクタ部３に差し込まれている。なお、このバックライト用ＦＰＣ３３のコネクタ差込部３３ａは、本発明の「第２コネクタ差込部」の一例である。
【００３２】
また、図１１に示すように、パネル用ＦＰＣ２のコネクタ差込部２ｅは、たとえば携帯電話に使用される配線基板４０のコネクタ部４１に電気的に接続されている。なお、このコネクタ部４１は、本発明の「第２コネクタ部」の一例である。
【００３３】
本実施形態では、上記のように、コネクタ取付部２ａと一体的に形成されるとともにコネクタ取付部２ａの裏面側に折り曲げられることにより、コネクタ取付部２ａを補強する補強部２ｂを設けることによって、パネル用ＦＰＣ２とは別に補強板を設けることなく、コネクタ部３にコネクタ差込部３３ａを装着する際に、パネル用ＦＰＣ２のコネクタ取付部２ａが湾曲するのを抑制することができる。これにより、部品点数を増加させることなく、コネクタ取付部２ａが湾曲することに起因するコネクタ部３のパネル用ＦＰＣ２からの剥がれを抑制することができる。また、補強部２ｂをコネクタ取付部２ａの裏面側に折り曲げることによりコネクタ取付部２ａを補強するように構成することによって、補強部２ｂの折り曲げ前に電子部品４を実装するようにすれば、電子部品４の実装時に補強部２ｂに起因する段差部が生じないので、電子部品４をコネクタ部３により近い位置に実装することができるとともに、実装時にコネクタ部３に接続される配線パターン２２ａに応力が加わるのを抑制することができる。これにより、電子部品４の配置の自由度および配線パターン２２ａの配置の自由度を向上させることができるので、最小のスペースになるように電子部品４の配置および配線パターン２２ａの配置を行うことができる。その結果、省スペース化を図ることができるので、パネル用ＦＰＣ２の小型化を図ることができる。
【００３４】
また、本実施形態では、コネクタ取付部２ａの裏面と補強部２ｂの裏面とを、接着層５を介して接着することによって、コネクタ取付部２ａの裏面側に折り曲げられた補強部２ｂをコネクタ取付部２ａの裏面側に密着させることができるので、コネクタ取付部２ａを有効に補強することができる。
【００３５】
また、本実施形態では、両面テープからなる接着層５を設けることによって、容易に、コネクタ取付部２ａと補強部２ｂとを接着することができる。
【００３６】
また、本実施形態では、補強部２ｂの表面側に電子部品４を取り付けることによって、補強部２ｂの表面側に取り付けられた電子部品４により、補強部２ｂの機械的強度を向上させることができるので、補強部２ｂの厚みが小さい場合にも、補強部２ｂを湾曲しにくくすることができる。これにより、補強部２ｂの厚みが小さい場合にも、コネクタ取付部２ａを有効に補強することができる。
【００３７】
また、本実施形態では、補強部２ｂをコネクタ取付部２ａの裏面側に折り曲げる前に、電子部品４を補強部２ｂの表面側に取り付けることによって、電子部品４の実装時に、補強部２ｂをコネクタ取付部２ａ側に折り曲げることに起因する段差部が生じないので、容易に、電子部品４をコネクタ部３により近い位置に実装することができる。
【００３８】
また、本実施形態では、折り曲げ部２ｃに溝２ｈを設けることにより、折り曲げ部２ｃを、コネクタ取付部２ａの厚みおよび補強部２ｂの厚みよりも小さい厚みに形成することによって、補強部２ｂをコネクタ取付部２ａの裏面側に、容易に折り曲げることができる。また、折り曲げ部２ｃに、３つの孔２ｆを設けることによって、より容易に、補強部２ｂをコネクタ取付部２ａの裏面側に折り曲げることができる。
【００３９】
また、本実施形態では、パネル用ＦＰＣ２に、電子機器の配線基板４０のコネクタ部４１に差し込まれ、コネクタ部３および補強部２ｂと一体的に形成されたコネクタ差込部２ｅを設けることによって、補強部２ｂがコネクタ取付部２ａの下方に配置されるので、パネル用ＦＰＣ２のコネクタ差込部２ｅを電子機器の配線基板４０のコネクタ部４１に差し込んだ状態で、補強部２ｂが電子機器の配線基板４０の上方にオーバーラップすることがない。これにより、電子機器の配線基板４０の使用可能な面積を増加させることができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、本発明によるフレキシブルプリント配線板を、液晶表示パネルに取り付けられるパネル用フレキシブルプリント配線板に適用した例を示したが、本発明はこれに限らず、液晶表示パネル以外の電子機器に取り付けられるフレキシブルプリント配線板にも本発明を適用することができる。
【００４２】
また、上記実施形態では、補強部とコネクタ取付部とを両面テープからなる接着層を介して接着するようにしたが、本発明はこれに限らず、両面テープ以外のたとえば接着材からなる接着層により接着してもよい。また、接着層を用いずに、溶着や圧着などにより補強部とコネクタ取付部とを接合してもよい。
【００４３】
また、上記実施形態では、折り曲げ部に孔を３つ設けた例を示したが、本発明はこれに限らず、折り曲げ部に、孔を１つ、２つ、または４つ以上設けてもよい。
【図面の簡単な説明】
【００４４】
【図１】本発明の一実施形態によるパネル用フレキシブルプリント配線板を備えた液晶表示ユニットを示した斜視図である。
【図２】図１に示した一実施形態による液晶表示ユニットの液晶表示パネルを示した平面図である。
【図３】図２に示した一実施形態による液晶表示パネルの側面図である。
【図４】図２に示した一実施形態による液晶表示パネルを裏面側からみた平面図である。
【図５】図２の１００−１００線に沿った断面図である。
【図６】図２の２００−２００線に沿った断面図である。
【図７】図２に示した一実施形態による液晶表示パネルの補強部がコネクタ取付部の裏面側に折り曲げられる前の状態を示した平面図である。
【図８】図７の３００−３００線に沿った断面図である。
【図９】図２に示した一実施形態による液晶表示パネルのパネル用フレキシブルプリント配線板のコネクタ部の部分拡大図である。
【図１０】図１に示した一実施形態による液晶表示ユニットの内部構造を示した分解斜視図である。
【図１１】図１に示した一実施形態による液晶表示ユニットのコネクタ差込部が配線基板のコネクタ部に取り付けられた状態を示す斜視図である。
【図１２】従来の一例によるフレキシブルプリント配線板を含む液晶表示ユニットを示した斜視図である。
【図１３】図１２に示した従来の液晶表示ユニットの液晶表示パネルを示した平面図である。
【図１４】図１３の４００−４００線に沿った断面図である。
【図１５】図１３の５００−５００線に沿った断面図である。
【図１６】図１３に示した従来の液晶表示ユニットのパネル用フレキシブルプリント配線板のコネクタ部の部分拡大図である。
【符号の説明】
【００４５】
２  パネル用ＦＰＣ（フレキシブルプリント配線板）
２ａ  コネクタ取付部
２ｂ  補強部
２ｃ  折り曲げ部
２ｆ  孔
２ｈ  溝
３  コネクタ部（第１コネクタ部）
４  電子部品
５  接着層
１０  液晶表示パネル（表示パネル）
【図１】
2006156570.tif 000003
【図２】
2006156570.tif 000004
【図３】
2006156570.tif 000005
【図４】
2006156570.tif 000006
【図５】
2006156570.tif 000007
【図６】
2006156570.tif 000008
【図７】
2006156570.tif 000009
【図８】
2006156570.tif 000010
【図９】
2006156570.tif 000011
【図１０】
2006156570.tif 000012
【図１１】
2006156570.tif 000013
【図１２】
2006156570.tif 000014
【図１３】
2006156570.tif 000015
【図１４】
2006156570.tif 000016
【図１５】
2006156570.tif 000017
【図１６】
2006156570.tif 000018